(57)【要約】【課題】簡単な手法で照度や色度等の測定精度を向上させる。【解決手段】スクリーンに投射される光の照度又は色度を測定場合に、まず、光を受光する受光部の配置位置に対応して設けた空間部を有するとともに、空間部の外側に、光が形成する投射画枠の大きさ及び位置を合わせるためのガイド枠を設けた補助板を、補助板における光の投射面が、受光部の先端位置で形成される測定基準面と同一面となるようスクリーン上に配置する。そして、光が形成する投射画枠をガイド枠に合わせてから、スクリーンからガイド枠を取り外し、ガイド枠が取り外された状態で、受光部に得られる光から照度又は色度の測定を行うようにした。【選択図】図１３
2008256455.tif 000002
【特許請求の範囲】
【請求項１】
スクリーンに投射される光を測定する光測定方法において、
前記光を受光する受光部が挿入される空間部を有するとともに、前記空間部の外側に、前記光が形成する投射画枠の大きさ及び位置を合わせるためのガイド枠を設けた補助板を、前記補助板における前記光の投射面が、前記受光部の先端位置に基づいて形成される測定基準面と同一面となるよう前記スクリーン上に配置する手順と、
前記光が形成する投射画枠を前記ガイド枠に合わせる手順と、
前記スクリーンから前記ガイド枠を取り外す手順と、
前記ガイド枠が取り外された状態で前記受光部に得られる光を基に光の測定を行う手順とを備えたことを特徴とする
光測定方法。
【請求項２】
請求項１記載の光測定方法において、
前記光の測定を行う手順では、前記受光部に得られる光を基に照度又は色度を測定することを特徴とする
光測定方法。
【請求項３】
請求項１記載の光測定方法において、
前記補助板の空間部は、前記スクリーン上に設けられた複数の受光部の配置位置に対応して設けたことを特徴とする
光測定方法。
【請求項４】
請求項１記載の光測定方法において、
前記補助板は、前記補助板上における前記スクリーンの縦方向及び横方向に配置した線状部材を有し、
前記補助板を前記スクリーン上に配置する手順は、前記線状部材の交点が、前記受光部の先端部分に合うように、前記補助板の配置位置を調整する手順を含むことを特徴とする
光測定方法。
【請求項５】
請求項１記載の光測定方法において、
前記補助板を前記スクリーン上に配置する手順では、
前記補助板と前記スクリーンとの間に奥行き調整部材を配置し、前記奥行き調整部材の奥行き方向の長さは、前記測定基準面と前記スクリーンとの間の長さから前記補助板の奥行き方向の長さを引いた長さであることを特徴とする
光測定方法。
【請求項６】
請求項５記載の光測定方法において、
前記奥行き調整部材は、奥行き方向の長さを伸張可能な機構を有し、
前記奥行き調整部材を固着する手順は、前記奥行き調整部材の奥行き方向の長さを前記受光部の奥行き方向の長さに合わせて調整する手順を含むことを特徴とする
光測定方法。
【請求項７】
請求項２記載の光測定方法において、
前記光の測定を行う手順は、
前記投射光が照射されていない状態での照度又は色度を測定する手順と、
前記投射光が照射された状態での照度又は色度を測定する手順と、
前記投射光が照射された状態での測定値から、前記投射光が照射されていない状態での測定値を減算する手順を含むことを特徴とする
光測定方法。
【請求項８】
スクリーンに投射される光を測定する光測定装置において、
前記光の量に応じた信号を出力する受光部と、
前記受光部からの出力信号を基に照度又は色度を算出し、測定値として出力する演算部と、
前記演算部から出力された、前記投射光が照射された状態での照度又は色度の測定値を記憶する第１の測定値記憶部と、
前記演算部から出力された、前記投射光が照射されていない状態での照度又は色度の測定値を記憶する第２の測定値記憶部と、
前記第１の測定値記憶部に記憶された測定値から前記第２の測定値記憶部に記憶された測定値を減算して出力する差分演算部とを備え、
前記投射光が照射された状態での照度又は色度の測定は、前記受光部の配置位置に対応して設けた空間部を有するとともに、前記空間部の外側に、前記光が形成する投射画枠の大きさ及び位置を合わせるためのガイド枠を有し、前記補助板における前記光の投射面が、前記受光部の先端位置で形成される測定基準面と同一面となるよう前記スクリーン上に配置された補助板を用いて、前記ガイド枠上に前記出射光が形成する投射画枠が合わせ込まれた後に、前記ガイド枠が取り外された状態で行われることを特徴とする
光測定装置。
【発明の詳細な説明】
【技術分野】
【０００１】
本発明は、例えばプロジェクタ等の投影機の照度又は色度を測定する測定方法に適用して好適な光測定方法と、その光測定方法において使用する光測定装置に関する。
【背景技術】
【０００２】
プロジェクタの性能を示す指標としては、明るさ（照度）、コントラスト比、色度等がある。照度、コントラスト比の測定方法はＡＮＳＩ（American National Standards Institute）で規格化されており、測定には４０インチ〜７０インチの白スクリーンを使用することや、照度計はスクリーンに平行な位置に配置すること等が規定されている。
【０００３】
照度、コントラスト比の測定には照度計が、色度の測定には色度計又は色度と照度の両方を測定可能な色彩照度計が用いられる。照度又は色度の測定は、例えばスクリーン等の、プロジェクタからの投射光が照射される焦点平面上に照度計又は色度計（色彩照度計）を配置し、プロジェクタからの照射光の照度又は色度を測定することにより行う。このとき、照度計又は色度計をスクリーンの投影面上に配置すると、照度計又は色度計の厚みの分だけ測定値に誤差が生じてしまう。
【０００４】
スクリーン上に照度計を配置した場合の例について、図１４に示してある。図１４は、スクリーン１０１及び照度計２００を横から見た場合の側面図である。図１４において、スクリーン１０１上の所定の位置に照度計２００が配置してあり、プロジェクタ等の投射機の投射レンズ１００から照射される光を測定可能な状態としてある。この場合、照度計２００受光部２１０の先端部分が測定基準面であり、図１４に示した例では、Ｂ１０として破線で示した面になる。
【０００５】
このように配置した状態で、例えば４０インチの大きさの映像がスクリーン１０１上に表現されるように、あおり方向やフォーカスの調整等を行うと、図１４にＬ１０で示した領域が４０インチのサイズに規定される。そして、照度計２００の受光部２１０の先端部分で実現される測定基準面Ｂ１０においては、照度計２００の厚みＴ１０の分だけ照度計２００との距離が短くなっているため、投射画枠が小さくなり目的とする映像のサイズにおける照度を測定できない。図１４においては測定基準面Ｂ１０上に照射される映像のサイズをＬ１１として示してあり、Ｌ１１においては、３８インチや３９インチ等のサイズしか表現されなくなってしまう。このような状況を避けるため、測定基準面Ｂ１０において規定のサイズの映像が投射されるように調整しようとしても、測定基準面Ｂ１０において４０インチ等のサイズの映像が投射されているか否かを確認する手段が無く、正確な測定値を得られないという問題があった。
【０００６】
特許文献１には、スクリーン上に規定のサイズの投射画枠が表現されるように、照度計の受光面（測定基準面）をスクリーン面と同一面とすることが開示されている。
【特許文献１】特開平０７−０５６２５３号公報
【発明の開示】
【発明が解決しようとする課題】
【０００７】
照度計における測定基準面をスクリーンの面と同一面とするために、スクリーン上に照度計挿入用の孔を設ける場合には、照度計で測定される測定値が実際より大きな値になってしまうという問題があった。図１５に、スクリーンに孔を開けた場合の例について示してある。図１５に示した例では、スクリーン１０１′に照度計用孔１０２を設けることにより、照度計２００の受光部２１０の先端がスクリーン１０１′の面と同一面となっている。これにより、スクリーン１０１′のプロジェクタ側の面が測定基準面Ｂ２となる。
【０００８】
ところが、このようにスクリーン１０１′上に照度計用孔１０２を設けると、プロジェクタの投射レンズ１００から照射された投射光Ｒ１０が、照度計用孔１０２の側面で反射するという現象が発生してしまう。つまり、本来は照度計２００の受光部２０１に入射されないはずの投射光２０が照度計用孔１０２の側面で反射し、錯乱光Ｒ２０となって受光部２０１に入射してしまうことになる。これでは、受光部２０１に入射する光が増えてしまうことになり、照度計２００での測定値も実際より大きな値になってしまう。
【０００９】
本発明はかかる点に鑑みてなされたものであり、簡単な手法で所定照射サイズの光の照度や色度等の測定精度を向上させることを目的とする。
【課題を解決するための手段】
【００１０】
本発明は、スクリーンに投射される光の照度又は色度を測定する場合に、まず、光を受光する受光部の配置位置に対応して設けた空間部を有するとともに、空間部の外側に、光が形成する投射画枠の大きさ及び位置を合わせるためのガイド枠を設けた補助板を、補助板における光の投射面が、受光部の先端位置で形成される測定基準面と同一面となるようスクリーン上に配置する。そして、光が形成する投射画枠をガイド枠に合わせてから、スクリーンからガイド枠を取り外し、ガイド枠が取り外された状態で、受光部に得られる光から照度又は色度の測定を行うようにしたものである。
【００１１】
このようにしたことで、受光部の先端位置で形成される測定基準面において、ガイド枠を目安にして所定サイズの投射画枠を実現させることができるようになる。
【発明の効果】
【００１２】
本発明によると、測定基準面に所定サイズの投射画枠を投射できるようになるため、照度又は色度の測定精度を向上させることができる。
【発明を実施するための最良の形態】
【００１３】
以下、本発明の一実施の形態を、図１〜図１３を参照して説明する。本実施の形態は、本発明の光測定方法を、プロジェクタからの投射光をスクリーン上の９点で測定する照度／色度／コントラスト比測定方法に適用したものである。
【００１４】
図１は、プロジェクタ１からの出射光を測定する照度計２０が固定された、測定ボード１０及び補助ボード４０の構成例を示す斜視図である。測定ボード１０は、プロジェクタ１からの出射光が照射されるスクリーン１１と、スクリーン１１を支持する支柱１２ａ及び１２ｂと、支柱１２ａ及び１２ｂを保持する板部であるベース部とで構成される。支柱保持面の裏面には、４個のキャスタ１４を備えさせてある。本例においては、スクリーン１１の大きさを４０インチ強の大きさとしてある。
【００１５】
スクリーン１１の、プロジェクタ１からの出射光が投射される投射面Ｐ１には、９個の照度計２０を配置してある。９個の照度計２０は、それぞれ投射面Ｐ１を縦３分割、横３分割した計９つの領域の中心部分に配置してあり、各照度計２０は、図示せぬＬＡＮケーブルで互いに接続してある。
【００１６】
スクリーン１１の投射面Ｐ１上には、奥行き調整部材３０を介して補助ボード４０を固着してある。補助ボード４０は、スクリーン１１とほぼ同サイズの板で形成してあるが、照度計２０への照射光を遮らないように、照度計２０が配置された部分はくり抜いて中空としてある。補助ボード４０上には、プロジェクタ１からの投射光の投射サイズを規定のサイズに合わせるためのガイドとして、投射サイズガイド枠４１を設けてある。本例は、投射画枠のサイズを４０インチとして測定を行うケースを想定しているため、投射サイズガイド枠４１の大きさは４０インチとしてある。
【００１７】
また、補助ボード４０の表面には、縦３本、横３本の計６本の位置決め用糸４２（線状部材）を所定の間隔で渡してある。位置決め糸４２の配置位置は、縦糸と横糸との交点が照度計２０の受光部２１の先端部分に合うような位置に、予め調整してある。プロジェクタ１からの投射光の投射画枠を、投射サイズガイド枠４１に合わせこむための調整機構は測定ボード１０に設けてある。測定ボード１０の構成の詳細については後述する。
【００１８】
補助ボード４０とスクリーン１１との間に配置した奥行き調整部材３０は、略立方体として形成してあり、スクリーン１１及び補助ボード４０の四隅に配置してある。奥行き調整部材３０の厚みＴ２は、照度計２０の厚みＴ１から補助ボード４０の厚みを引いた厚みとしてある。つまり、そのような厚みの奥行き調整部材３０を介して、補助ボード４０がスクリーン１１上に配置されることで、照度計２０の受光部２１の先端部分で形成されるｘｙ平面、つまり測定基準面と同一面上に、補助ボード４０の面が配置されることになる。また、奥行き調整部材３０の厚みＴ２は、奥行き調整部材３０は、図示せぬネジ等によってその厚みＴ２を変えられる構成としてあり、どのような厚みＴ１をもった照度計２０であっても対応が可能である。もしくは、予め厚みを調整した奥行き調整部材３０を用いるようにすれば、取り付け時に厚みを調整する工程は不要となる。
【００１９】
次に、図２（ａ）及び２（ｂ）を参照して、奥行き調整部材３０のｘ軸方向の配置位置について説明する。図２（ａ）は、図１をＩ−Ｉ線に沿う断面図として示したものであり、図２（ｂ）は、図１をII−II線に沿う断面図として示したものである。図１において、Ｉ−Ｉ線として示された位置においては、図２（ａ）に示されるように、スクリーン１１と補助ボード４０との間に奥行き調整部材３０が配されている。またこの位置は、補助ボード４０のｘ軸方向における末端部分であるため、補助ボード４０上に投射サイズガイド枠４１は設けられていない。そして、図１においてII−II線として示された位置においては、図２（ｂ）に示されるように奥行き調整部材３０は配置されていないため、スクリーン１１と補助ボード４０との間には、照度計２０のみが配置されていることになる。そして、この位置においては、補助ボード４０上に投射サイズガイド枠４１が設けられている。
【００２０】
次に、図３を参照して、照度計２０の構成例について説明する。図３（ａ）は、照度計２０を側面から見た場合の側面図であり、図３（ｂ）は断面図である。図３（ａ）に示した照度計２０においては、受光部２１が配置された面とは反対側の面に、ネジ２２を挿し込んである。このネジ２２が、後述するスクリーン１１上の孔に挿し込まれることで、照度計２０がスクリーン１１上に固定される。図２（ｂ）に断面図として示されるように、照度計２０にはネジ用孔２３を設けてあり、この孔にネジ２３の挿入部分Ｓ１が挿し込まれることで、図２（ａ）に示された状態となる。
【００２１】
図４は、スクリーン１１の構成例を示す斜視図である。スクリーン１１は、上述したように９つの領域に分割してあり、それぞれの領域に照度計２０が配置される。９つの領域の中心部分には、照度計２０のネジ２２を嵌め込むための照度計用孔１５を設けてある。
【００２２】
次に、図５を参照して、測定ボード１０の構成例について説明する。図５は、測定ボード１０を背面から見た場合の斜視図である。測定ボード１０の背面には、測定ボード１０の側面の２箇所を支える支柱１２ｃを、ｘ軸方向に渡してある。支柱１２ｃは、測定ボード１０の側面の２箇所において留め具１６で固定されており、留め具１６の軸を中心に、スクリーン１１が図中にＡ１として示した方向に回転可能な構成としてある。つまり、留め具１６は、投射画枠をスクリーン１１上の投射サイズガイド枠４１上に合わせこむ際の、あおり方向調整機構として機能する。
【００２３】
支柱１２ｃの中心部分には支柱１２ａと１２ｂを接続させてあり、支柱１２ａと１２ｂは、ベース部１３上に固定してある。支柱１２ａ及び１２ｂは、径の異なる２つの柱を重ねて構成したものであり、ベース部１３上に固着された、中が中空の柱１２ａα（１２ｂα）に対して、支柱１２ｃに固着された、少し径の小さい柱１２ａβ（１２ｂβ）を挿し込むことで構成してある。柱１２ａα（１２ｂα）と柱１２ａβ（１２ｂβ）とは、柱１２ａα（１２ｂα）に設けられた孔（図示略）にネジ１７が挿し込まれることで固定される。このような機構とすることで、支柱１２ａ及び１２ｂの高さ（ｙ軸方向の位置）を、図中にＡ２として示した方向に変化させることができる。つまり、支柱１２ａ及び１２ｂとネジ１７とが、プロジェクタ１からの投射光に対するスライド１１の高さ調整機構として機能する。
【００２４】
また、ベース部１３の裏面には、４個のキャスタ１４を設けてある。これにより、図中にＡ３として示したｘ軸方向や、Ａ４として示したｙ軸方向にも測定ボード１０を移動させることができる。つまり、キャスタ１４がｘ軸方向調整／フォーカス調整機構として機能する。
【００２５】
次に、図６を参照して、スクリーン１１への補助ボード４０取り付けの例について説明する。図６は、照度計２０及び補助ボード４０が取り付けられたスクリーン１１を、プロジェクタ１側から見た場合の正面図である。図６においては、補助ボード４０上に縦方向に３本、横方向に３本渡された位置決め用糸４２の各交点が、照度計２０の受光部２１の中心部分にちょうど合っている様子が示されている。図６中に破線で示してあるのは、投射領域を９つに分割した各領域の境界線である。９つのそれぞれの領域の中心に照度計２０の受光部２１が配置された状態で、９つの領域を足し合わせて１つの領域とした場合の外周の位置に投射映像の画枠が重なれば、正確な測定を行うことができるようになる。
【００２６】
本発明では、その外周の位置に対応する場所に、投射サイズガイド枠４１を設けてある。つまり、補助ボード４０上に渡された位置決め用糸４２の交点が、照度計２０の受光部２１の中心部分に合うように、補助ボード４０を上下（ｙ軸方向）左右（ｘ軸方向）に移動させて調整したうえで、プロジェクタ１による投射映像の画枠が投射サイズガイド枠４１上に合うような調整を行えば、測定領域の外周に画枠が正確に合うようになる。
【００２７】
次に、図７を参照して、補助ボード４０のｚ軸方向の配置位置と、照度計２０の受光部２１の先端の位置について説明する。図７は、照度計２０及び補助ボード４０が装着されたスクリーン１１を、側面から見た場合の側面図である。図７においては、画面左側（ｚ軸方向の一番奥側）にスクリーン１１を配置してあり、スクリーン１１上には照度計２０を配置してある。補助ボード４０は、奥行き調整部材３０を介してスクリーン１１に取り付けてある。
【００２８】
奥行き調整部材３０の厚みＴ２は、前述したとおり、照度計２０の厚みＴ１−補助ボード４０の厚みである、厚みＴ３に調整してあるため、補助ボード４０の投射面Ｐ２と、照度計２０の受光部２１の先端部分とのｚ軸方向での位置は同一となる。図７では、照度計２０の受光部２１の先端部分と補助ボード４０の投射面Ｐ２との対応を分かりやすくするため、補助ボード４０における中空部分を破線で示してある。
【００２９】
また補助ボード４０上には、投射サイズガイド枠４１を設けてある。図７においては説明を分かりやすくするため、投射サイズガイド枠４１を、少し厚みを持たせて表現してあるが、実際には補助ボード４０の投射面Ｐ２と同一の面上に形成されているものとする。
【００３０】
図８には、スクリーン１１に照度計２０及び補助ボード４０が取り付けられた状態で、プロジェクタ１の投射レンズ１ａから光が照射されている状態を、斜視図として示しある。図８においては、プロジェクタ１の投射レンズ１ａから照度計２０の受光部２１の先端部分（測定基準面Ｂ１）までの距離をＤ１、投射レンズ１ａからスクリーン１１までの距離をＤ２としてある。照度は、照度∝１／Ｄ＾（Ｄは距離）の式で表現され、距離の二乗に反比例することから、距離Ｄ２において測定された照度は、距離Ｄ１において測定された照度よりも低くなる。つまり、距離Ｄ１におけるｘｙ平面上に、４０インチの投射光を照射させないと、正確な測定値を得られないことになる。
【００３１】
そして、図８に示したように、補助ボード４０の投射サイズガイド枠４１上にプロジェクタ１による投射光の投射画枠を重ねることで、投射レンズ１ａからの距離がＤ１の位置におけるｘｙ平面上、つまり測定基準面Ｂ１上に、規定のサイズの投射光が照射されるようになる。図８においては、投射光のサイズをＬ１として示してある。本例では規定のサイズを４０インチとしてあるため、Ｌ１として示した領域には４０インチの投射光が照射される。
【００３２】
図９には、上述した方法で、補助ボード４０を使用して投射サイズ枠の調整を行った後に、実際に測定を行う時の例を示してある。図９には、スクリーン１１上に照度計２０のみが装着された状態で、プロジェクタ１からの投射光が照射されている様子が示されている。実際に測定を行う際には、補助ボード４０を取り外し、プロジェクタ１からの投射光が直接スクリーン１１に照射する形態で行う。
【００３３】
図１０には、図９に示した状態を側面図として示してある。図１０においては補助ボード４０が取り外されているが、投射レンズ１ａからの距離がＤ１の位置にある、照度計２０の受光部２１の先端におけるｘｙ平面（測定基準面Ｂ１）において、サイズＬ１（４０インチ）の投射光が表現されていることが示されている。つまり、補助ボード４０を使用して、測定基準面Ｂ１において規定の投射サイズが表現されるように予め調整してあるため、補助ボード４０を取り外した状態においても、測定基準面Ｂ１において規定の投射サイズが表現される状態は維持される。そして、測定時には補助ボード４０を取り外すため、照度計２０の受光部２１の周辺には、プロジェクタ１からの投射光を遮るような障害物が一切無くなる。これにより、散乱光等が発生することもなくなり、照度計２０で測定される値に誤差が生じてしまうこともなくなる。
【００３４】
上述した測定方法を用いて、まず全白パターン映像上での照度を測定し、９個の照度計２０で得られた値の平均値を算出してその値に映像領域（ｍ2）を乗じることで、プロジェクタ１の出射光の明るさを算出することができる。また、全白パターン映像上での照度及び全黒パターン映像上での照度を測定し、全白パターンにおける９箇所の平均照度と、全黒パターンにおける９箇所の平均照度との比率を求めることで、コントラスト比を得ることができる。さらに、照度計２０として、色度の測定も行える色彩照度計を用いれば、同様に色度の測定も行うことができる。もしくは、照度やコントラスト比測定の際には照度計を使用し、色度測定の際には、色度専用の測定器である色度計を使用するようにしてもよい。
【００３５】
照度や色度の測定は、照度計２０がプロジェクタ１からの投射光以外の他の光まで測定してしまわないように、暗室で行うのが通常である。ＡＮＳＩでは、測定する部屋の明るさとして５ｌｘ（ルクス）以下を推奨している。ところが、暗室で測定を行ったとしても、暗室の外から入り込む漏れ光（外光）の影響を少なからず受けてしまうのが現状であり、測定値は、プロジェクタ１からの投射光と外光との混合光となってしまう。図１１には、測定時に照度計２０の受光部２１に入射する光の例について示してある。図１１には、スクリーン１１上に固定された照度計２０の受光部２１に、プロジェクタ１からの照射光Ｒ１の他に、暗室ＤＲの外からの外光Ｒ２及びＲ３が入射している様子が示されている。図１１に示した状態においては、照度計２０で測定される値は、Ｒ１＋Ｒ２＋Ｒ３となってしまい、本来測定したい投射光Ｒ１より大きな値となってしまう。
【００３６】
このため本発明では、照度計２０の内部に、照射光と外光とで構成される混合光の測定値から、外光の測定値を差し引く回路を設けてある。図１２に、回路の構成例を示すブロック図を示してある。図１２に示した回路は、受光した光量に応じた信号を出力する受光部２１と、受光部２１からの出力信号を基に照度又は色度を算出する制御部２４（演算部）、制御部２４からの出力値の出力先を切り替えるスイッチ２５と、スイッチ２５に対してスイッチ切り換え用の操作信号を入力する操作部２６、制御部２４からの出力値を記憶する第１の測定値記憶部２７ａ及び第２の測定値記憶部２７ｂ、第１の測定値記憶部２７ａに記憶された値から第２の測定値記憶部２７ｂに記憶された値を除算する差分演算部２８、演算結果が出力される出力端子２９とで構成してある。
【００３７】
測定時には、まず操作部２６を操作して、スイッチ２５を第２の測定値記憶部２７ｂに接続させた上で、暗室内の照度を測定する。この段階では、プロジェクタ１から光を出射させていないため、図１１においてＲ２又はＲ３として示した外光のみの照度又は色度が測定されることになる。そして、スイッチ２５が第２の測定値記憶部２７ｂに接続されているため、外光の測定値は第２の測定値記憶部２７ｂに記憶される。次に、スイッチ２５を第１の測定値記憶部２７ａ側に切り替えた状態で、プロジェクタ１から光を照射させ、その値を測定する。この場合は、受光部２１で得られる値は外光と投射光との混合光の測定値となり、制御部２４から出力された測定値は第１の測定値記憶部２７ａに記憶される。そして、差分演算部２８により、第１の測定値記憶部２７ａに記憶された値から第２の測定値記憶部２７ｂが減算される。これにより、出力端子２９から出力される値は、混合光の測定値から外光の測定値が差し引かれた、プロジェクタ１からの照射光のみの測定値となる。
【００３８】
図１３には、上述した回路を備えた照度計２０と、補助ボード４０を使用して照度の測定を行う場合の処理例をフローチャートで示してある。測定にあたって使用する照度計２０は、予め基準照度計との相関をとったうえで、相関に基づいた校正を行っておくものとする。測定対象が照度である場合には、基準照度計における測定値との比率を算出し、係数を掛けることにより校正を行う。測定対象が色度である場合には、基準照度計における測定値のｘの値、ｙの値とのオフセット量を調整することで校正を行う。
【００３９】
図１３において、まず測定ボード１０のスクリーン１１上に９個の照度計２０を固定させる（ステップＳ１）。そして、外光の照度を照度計２０で測定する（ステップＳ２）。つまり、プロジェクタ１から光を照射させない状態での照度を測定する。そして、スクリーン１１上に補助ボード４０を取り付ける（ステップＳ３）。次に、プロジェクタ１から光を照射させ（ステップＳ４）、測定ボード１０の調整機構を用いて、投射光のサイズや位置、あおり方向、フォーカスの調整を行う（ステップＳ５）。
【００４０】
投射光のサイズや位置、あおり方向、フォーカスの調整が行われた後は、補助ボード４０を取り外し（ステップＳ６）、プロジェクタ１からの照射光を測定する（ステップＳ７）。ここでは、プロジェクタ１からの照射光と外光との混合光が測定されることになる。そして最後に照度計２０の内部において、ステップＳ６で測定された混合光の測定値から、ステップＳ２で測定された外光の測定値が減算され、プロジェクタ１からの照射光のみの測定値が算出される（ステップＳ８）。
【００４１】
このように、投射サイズガイド枠４１を設けた補助ボード４０を、照度計２０の受光部２１の先端位置におけるｘｙ平面上に配置してあるため、受光部２１の先端位置におけるｘｙ平面、つまり測定基準面において、投射サイズや投射位置、あおり方向、フォーカスの調整を行うことができるようになる。これにより、プロジェクタ１からの投射光を、測定基準面に正確に照射させることができるようになる。
【００４２】
また、照度測定時には補助ボード４０を取り外すため、照度計２０の周辺に障害物等がなくなり、散乱光の発生を防ぐことができる。よって、より正確な測定値を得ることができるようになる。
【００４３】
また、照度計２０の内部に、プロジェクタ１からの投射光と外光とで構成される混合光を測定した値から、外光のみを測定した値を差し引く回路を組み込んであるため、照度計２０で得られる測定値がより正確なものになる。また、このような構成とすることにより、測定場所が暗室でなくても、光の量や大きさが大きく変化することのない環境であれば、どのような場所でも測定を行うことができるようになる。
【００４４】
また、補助ボード４０をスクリーン１１に対して固着するための奥行き調整部材３０を、奥行き（ｚ軸方向の長さ）が調整な機構として構成してあるため、どのような厚みを持つ照度計２０にも対応することが可能となる。
【００４５】
なお、ここまで説明した実施の形態では、補助ボード４０のサイズは固定であるものとして説明したが、ｘ軸方向及びｙ軸方向に対して伸張可能な構成とすることにより、４：３や１６：９等、異なる投射画枠での測定を行う場合にも対応できるようにしてもよい。
【００４６】
また、上述した実施の形態では、照度や色度を測定する対象として、プロジェクタを例に挙げて説明したが、投影機であれば他の異なる種類の装置に適用するようにしてもよい。
【００４７】
また、上述した実施の形態では、外光の影響を除去する回路に、測定値の出力地を変更するためのスイッチを設けてあり、そのスイッチを操作部で操作する構成としたが、受光した光の量により、自動的に出力先を変更させる仕組みを適用してもよい。
【図面の簡単な説明】
【００４８】
【図１】本発明の一実施の形態による測定ボードの構成例を示す斜視図である。
【図２】本発明の一実施の形態による補助ボード配置時の構成例を示す断面図であり、（ａ）は図１のＩ−Ｉ線に沿う断面図であり、（ｂ）は図１のII−II線に沿う断面図である。
【図３】本発明の一実施の形態による照度計の構成例を示す側面図（ａ）と、断面図（ｂ）である。
【図４】本発明の一実施の形態によるスクリーンの構成例を示す斜視図である。
【図５】本発明の一実施の形態による測定ボードの構成例を示す斜視図である。
【図６】本発明の一実施の形態による補助ボードの取り付け例を示正面図である。
【図７】本発明の一実施の形態による補助ボード配置時の構成例を示す側面図である。
【図８】本発明の一実施の形態による投射光照射時の構成例を示す側面図である。
【図９】本発明の一実施の形態による照度測定時の状態を示す斜視図である。
【図１０】本発明の一実施の形態による照度測定時の状態を示す側面図である。
【図１１】本発明の一実施の形態による照度計の受光部への入射光の例を示す側面図である。
【図１２】本発明の一実施の形態による照度計の内部構成例を示すブロック図である。
【図１３】本発明の一実施の形態による測定処理例を示すフローチャートである。
【図１４】従来の測定例を示す側面図である。
【図１５】従来の測定例を示す側面図である。
【符号の説明】
【００４９】
１…プロジェクタ、１０…測定ボード、１１…スクリーン、１２ａ，１２ｂ，１２ｃ…支柱、１３…ベース部、１４…キャスタ、１５…照度計用孔、２０…照度計、２１…受光部、２２…ネジ、２３…ネジ用孔、２４…制御部、２５…スイッチ、２６…操作部、２７ａ…第１の測定値記憶部、２７ｂ…第２の測定値記憶部、２８…差分演算部、２９…出力端子、３０…奥行き調整部材、４０…補助ボード、４１…投射サイズガイド枠、４２…位置決め用糸、Ｂ１…測定基準面、Ｔ１…照度計の厚み、Ｔ２…奥行き調整部材の厚み
【図１】
2008256455.tif 000003
【図２】
2008256455.tif 000004
【図３】
2008256455.tif 000005
【図４】
2008256455.tif 000006
【図５】
2008256455.tif 000007
【図６】
2008256455.tif 000008
【図７】
2008256455.tif 000009
【図８】
2008256455.tif 000010
【図９】
2008256455.tif 000011
【図１０】
2008256455.tif 000012
【図１１】
2008256455.tif 000013
【図１２】
2008256455.tif 000014
【図１３】
2008256455.tif 000015
【図１４】
2008256455.tif 000016
【図１５】
2008256455.tif 000017